(57)【特許請求の範囲】
【請求項１】
遊技盤の検査を行うための装置であって、上面に凹形状部が設けられた検査台と、その検査台の上部にて遊技盤を起立させた状態で保持しつつ水平方向に回転可能なターンテーブルと、前記遊技盤へ電源を供給する電源ユニットと、その電源ユニットへの電源入力をオン・オフする電源スイッチ装置とを備えた遊技盤検査装置において、
前記電源スイッチ装置は、
外部電源に接続可能であり且つ端部にコネクタが設けられた外部電源側コードと、
前記電源ユニットから導出され且つ端部にコネクタが設けられた電源ユニット側コードと、
第１接点と第２接点とを有し且つ前記両接点間が導通するオン状態と遮断されたオフ状態とを切り換えるスイッチ部と、前記第１接点に導通し且つ前記外部電源側コードのコネクタと着脱可能に接続される第１コネクタ部と、前記第２接点に導通し且つ前記電源ユニット側コードのコネクタと着脱可能に接続される第２コネクタ部とを有し、これらのスイッチ部、第１コネクタ部及び第２コネクタ部をケース内に一体的に収容してなるカートリッジと
を備えたことを特徴とする遊技盤検査装置。
【請求項２】
前記電源スイッチ装置は、前記検査台に取り付けられて前記カートリッジを着脱可能に保持するホルダを更に備えたことを特徴とする請求項１に記載の遊技盤検査装置。
【請求項３】
前記ホルダは、略箱形に形成されたことを特徴とする請求項２に記載の遊技盤検査装置。
【請求項４】
前記ホルダは、前記略箱形の上面に開口部が形成され、前記カートリッジを前記開口部から内部へスライド挿入可能であることを特徴とする請求項３に記載の遊技盤検査装置。
【請求項５】
前記第１コネクタ部及び前記第２コネクタ部は前記ケースの側面に配置され、前記ホルダには前記第１コネクタ部及び前記第２コネクタ部に対応する位置にスリットが形成されたことを特徴とする請求項４に記載の遊技盤検査装置。
【発明の詳細な説明】
【技術分野】
【０００１】
本発明は、パチンコ機の遊技盤の検査を行うための遊技盤検査装置に関する。
【背景技術】
【０００２】
従来より、パチンコ機の製造ラインにおいて遊技盤の動作を検査するための遊技盤検査装置が用いられている（例えば、特許文献１参照。）。ここで、一般的なパチンコ機では、遊技盤を含む各部へ電源を供給するための電源基板や、外部電源に接続されると共に電源基板への外部電源入力をオン・オフするための電源スイッチ基板が遊技盤以外の本体枠等に取り付けられるため、遊技盤を動作させるために必要な電源基板や電源スイッチ基板に相当する構成を遊技盤検査装置側に設けて遊技盤の検査を行っている。
【特許文献１】特開２００３−９３６２３号公報
【発明の開示】
【発明が解決しようとする課題】
【０００３】
ところで、遊技盤検査装置において、遊技盤１台の検査に対して電源スイッチが１〜２回オン・オフされる。このため、１日に数百台の遊技盤の検査を行う場合には、電源スイッチが数百回操作されることになり、このことに起因して電源スイッチが破損したり接触不良となる等の故障が発生する場合がある。電源スイッチが故障した場合には、修理や交換等の作業を行う必要があるが、修理作業を行っている間は遊技盤の検査を行うことができず、検査効率を低下させる原因の一つとなっていた。
【０００４】
本発明が解決しようとする課題は、電源スイッチが故障した場合に容易且つ迅速に電源スイッチを交換して検査を再開可能な遊技盤検査装置を提供することである。
【課題を解決するための手段】
【０００５】
以下、上記課題を解決するのに適した各手段につき、必要に応じて作用効果等を付記しつつ説明する。
【０００６】
１．遊技盤の検査を行うための装置であって、上面に凹形状部が設けられた検査台と、その検査台の上部にて遊技盤を起立させた状態で保持しつつ水平方向に回転可能なターンテーブルと、前記遊技盤へ電源を供給する電源ユニットと、その電源ユニットへの電源入力をオン・オフする電源スイッチ装置とを備えた遊技盤検査装置において、
前記電源スイッチ装置は、
外部電源に接続可能であり且つ端部にコネクタが設けられた外部電源側コードと、
前記電源ユニットから導出され且つ端部にコネクタが設けられた電源ユニット側コードと、
第１接点と第２接点とを有し且つ前記両接点間が導通するオン状態と遮断されたオフ状態とを切り換えるスイッチ部と、前記第１接点に導通し且つ前記外部電源側コードのコネクタと着脱可能に接続される第１コネクタ部と、前記第２接点に導通し且つ前記電源ユニット側コードのコネクタと着脱可能に接続される第２コネクタ部とを有し、これらのスイッチ部、第１コネクタ部及び第２コネクタ部をケース内に一体的に収容してなるカートリッジと
を備えたことを特徴とする遊技盤検査装置。
【０００７】
手段１によれば、外部電源に接続された外部電源側コードのコネクタを第１コネクタ部に接続し、電源ユニットから導出される電源ユニット側コードのコネクタを第２コネクタ部に接続した状態で、スイッチ部において第１接点と第２接点との間が導通するオン状態と遮断されたオフ状態とを切り換えることにより、電源ユニットへの外部電源の入力をオン・オフすることができる。そして、遊技盤を検査台のターンテーブルにて起立させた状態で保持して適宜水平方向に回転させて遊技盤の向きを適切な状態とした後、電源スイッチ装置のスイッチ部をオン状態として遊技盤へ電源を供給することにより、遊技盤の動作を検査することができる。また、検査対象の遊技盤を交換する際には、電源スイッチ装置のスイッチ部をオフ状態として、遊技盤の着脱作業を安全に行うことができる。さらに、電源スイッチ装置は、スイッチ部、第１コネクタ部、及び第２コネクタ部がケース内に一体的に収容されたカートリッジとなっているので、多数の遊技盤を検査する場合にスイッチ部が多数回に亘って繰り返しオン・オフ操作されることに起因して破損や接触不良等の故障が発生した場合には、予め用意しておいた新品のカートリッジに交換することにより、遊技盤の検査作業を迅速に再開することができる。
【０００８】
２．前記電源スイッチ装置は、前記検査台に取り付けられて前記カートリッジを着脱可能に保持するホルダを更に備えたことを特徴とする手段１に記載の遊技盤検査装置。
【０００９】
手段２によれば、検査台に取り付けられたホルダにカートリッジを装着することにより、カートリッジが確実に保持された状態でスイッチ部を容易且つ確実に操作することができる。また、スイッチ部等が故障した際には、カートリッジをホルダから簡単に取り外して交換することができる。
【００１０】
３．前記ホルダは、略箱形に形成されたことを特徴とする手段２に記載の遊技盤検査装置。
【００１１】
手段３によれば、ホルダは略箱形に形成されているので、カートリッジを保護しつつ確実に保持することができる。
【００１２】
４．前記ホルダは、前記略箱形の上面に開口部が形成され、前記カートリッジを前記開口部から内部へスライド挿入可能であることを特徴とする手段３に記載の遊技盤検査装置。
【００１３】
手段４によれば、ホルダは略箱形の上面に開口部が形成され、カートリッジを開口部から内部へスライド挿入可能であるので、カートリッジのホルダへの着脱を上方から容易に行うことができる。
【００１４】
５．前記第１コネクタ部及び前記第２コネクタ部は前記ケースの側面に配置され、前記ホルダには前記第１コネクタ部及び前記第２コネクタ部に対応する位置にスリットが形成されたことを特徴とする手段４に記載の遊技盤検査装置。
【００１５】
手段５によれば、第１コネクタ部及び第２コネクタ部はケースの側面に配置され、ホルダには第１コネクタ部及び第２コネクタ部に対応する位置にスリットが形成されているので、カートリッジをホルダから着脱する際に、第１コネクタ部に接続された外部電源側コードや第２コネクタ部に接続された電源ユニット側コードとホルダとの干渉を回避することができ、カートリッジの着脱作業を円滑に行うことができる。
【００１６】
６．前記ホルダは、前記検査台の上面に設けられた前記凹形状部の内側面に取り付けられたことを特徴とする手段２乃至５のいずれかに記載の遊技盤検査装置。
【００１７】
手段６によれば、ホルダが検査台の上面に設けられた凹形状部の内側面に取り付けられているので、ホルダが検査作業の邪魔になることがなく、且つカートリッジを安全に収容することができる。
【００１８】
７．前記第１コネクタ部と前記第２コネクタ部とが、前記ケースの同一側面に配置されたことを特徴とする手段１乃至６のいずれかに記載の遊技盤検査装置。
【００１９】
手段７によれば、第１コネクタ部と第２コネクタ部とがケースの同一側面に配置されているので、外部電源側コードのコネクタの第１コネクタ部からの着脱及び電源ユニット側コードのコネクタの第２コネクタ部からの着脱をケースの同一側面において迅速に行うことができる。
【００２０】
８．前記スイッチ部は、前記ケースの上面に配置されたことを特徴とする手段１乃至７のいずれか記載の遊技盤検査装置。
【００２１】
手段８によれば、スイッチ部がケースの上面に配置されているので、作業者は、スイッチ部がオン状態かオフ状態かを確実に目視確認できると共に、オン・オフ操作を容易に行うことができる。
【００２２】
９．前記スイッチ部は、シーソー式スイッチにより構成されたことを特徴とする手段１乃至８のいずれか記載の遊技盤検査装置。
【００２３】
手段９によれば、スイッチ部がシーソー式スイッチにより構成されているので、オン状態とオフ状態とを容易且つ確実に切り換え可能であると共に、スイッチ部を安価に実現することができる。
【００２４】
１０．前記遊技盤へ検査用の制御信号を入力する検査用制御ユニットをさらに備えたことを特徴とする手段１乃至９のいずれかに記載の遊技盤検査装置。
【００２５】
手段１０によれば、検査用制御ユニットから遊技盤へ検査用の制御信号を入力することにより、遊技盤に各種の動作を実行させて検査を行うことができる。例えば、検査用制御ユニットから遊技盤において大当り遊技状態を強制発生させる制御信号や、ＬＥＤ等の検査パターン用の制御信号を入力するように構成してもよい。
【発明の効果】
【００２６】
本発明によれば、電源スイッチ装置は、スイッチ部、第１コネクタ部、及び第２コネクタ部がケース内に一体的に収容されたカートリッジとなっているので、多数の遊技盤を検査する場合にスイッチ部が多数回に亘って繰り返しオン・オフ操作されることに起因して破損や接触不良等の故障が発生した場合には、予め用意しておいた新品のカートリッジに交換することにより、遊技盤の検査作業を迅速に再開することができる。
【発明を実施するための最良の形態】
【００２７】
以下、本発明の遊技盤検査装置の一実施形態について、図面を参照しつつ説明する。図１は、本実施形態の遊技盤検査装置１の全体を示す斜視図である。また、図２は、遊技盤検査装置１の要部を拡大して示す斜視図である。但し、図２では、後述する電源スイッチカートリッジ６０やコードを取り外した状態を示している。図１において、略箱状の検査台１０の底面から下方に向かって四本の柱状の脚部１１が突設され、幅広に形成された脚部１１の最下部にて接地面２０に接地している。検査台１０の上面は、側面が壁状に高く形成され且つ側面以外は低く形成された凹形状部１２となっている。凹形状部１２の前方部分は、さらに高さが低く形成されており、検査用の遊技球の貯留部１３となっている。凹形状部１２の奥行き方向および幅方向の中央部には鉛直回転軸１４ａが設けられ、円盤状のターンテーブル１４を水平方向に回転可能に支持している。また、ターンテーブル１４の盤面上には遊技盤３０の下端面を保持するための固定治具１４ｂが配設されている。
【００２８】
検査台１０の背面側から上方に向かって背面フレーム１５が立設され、背面フレーム１５の上端から、さらに前方に向かって上部フレーム１６が略水平に突設されている。上部フレーム１６の鉛直回転軸１４ａの軸線の延長上となる位置には、下方に向かってクランプ回転軸１７ａが垂設され、クランプ回転軸１７ａ最下端にてクランプユニット１７が接合されている。なお、クランプユニット１７は図示しない駆動部により、遊技盤３０の上面を掴んで固定するクランプ状態と、遊技盤３０の上面を開放する解放状態とに切換可能であり、接地面２０上に載置された足踏み式スイッチ１８を踏みつけることにより、クランプ状態と解放状態とを切り換えることが可能となっている。
【００２９】
かかる構成により、遊技盤３０を検査台１０にて起立させて回転可能に保持することが可能となる。従って、本実施形態における検査対象の遊技盤３０をホール設置時と同姿勢にて検査をすることが可能であるとともに、遊技盤３０を作業しやすい方向に回転させて検査することができる。なお、本実施形態における検査対象の遊技盤３０は、各種部材の組み付けが完了した状態のものであって、背面側には、主制御基板ボックス４１、液晶パネル制御基板４２、音声ランプ制御基板ボックス４３を含む各種部材が予め備えられるとともに、前面側には各種役物３２、入賞口３３、液晶表示装置３４等が予め備えられ、各部材の電気的な接続も完了している。
【００３０】
ここで、遊技盤３０の製造工程の概略について説明する。最初に、遊技盤用のベニヤ板がライン上に搬入され、次に、適宜化粧板を貼った後、ベニヤ板をローラコンベア等により移送して自動釘打機に供給し、釘打ちを行う。多数の釘を打つため、自動釘打機はラインに複数機設けられ、同時並行にて釘打ちを行う。釘打ちが終了すると、レール付け機により、遊技領域を囲むように概略一回転する金属製のガイドレールを付ける。レール付けが終了すると、遊技領域に風車等の各種役物３２や入賞口３３を付ける。さらに、役物３２の駆動制御等を行う液晶パネル制御基板４２、図示しないＬＥＤ基板、図柄制御基板、図柄情報基板等の取り付けや、ランプの明滅パターン制御や音声出力制御などを行う音声ランプ制御基板を収容した音声ランプ制御基板ボックス４３、抽選制御を含む遊技盤３０の各種制御を行うための主制御基板を収容した主制御基板ボックス４１を取り付けて、遊技盤３０が完成する。
【００３１】
また、検査台１０は、遊技盤３０に電源を供給するための構成として、電源コンセント５１と、コンセント側コード５２と、電源スイッチカートリッジ６０と、電源スイッチホルダ７０と、電源ユニット側コード５３と、電源ユニット５４とを備えると共に、遊技盤３０へ検査用の制御信号を入力する検査用制御ユニット８０を備えている。尚、電源コンセント５１が本発明の外部電源を、コンセント側コード５２が外部電源側コードを、電源スイッチカートリッジ６０がカートリッジを、電源スイッチホルダ７０がホルダをそれぞれ構成するものであり、コンセント側コード５２と、電源スイッチカートリッジ６０と、電源スイッチホルダ７０と、電源ユニット側コード５３とから本発明の電源スイッチ装置が構成される。
【００３２】
電源コンセント５１は、ＡＣ２４Ｖの電源を供給する外部電源であり、検査台１０の背面フレーム１５に内蔵されている（図２参照）。
【００３３】
コンセント側コード５２は、電源コンセント５１と電源スイッチカートリッジ６０とを電気的に接続するためのコードであって、一端に電源コンセント５１に接続されるプラグ５１ａが、他端に電源スイッチカートリッジ６０の第１コネクタ部６１に接続されるコネクタ５１ｂがそれぞれ設けられている。
【００３４】
電源スイッチカートリッジ６０は、電源ユニット５４への外部電源入力をオン・オフする装置であり、スイッチ部６１と、第１コネクタ部６２と、第２コネクタ部６３とを有し、これらをケース６４内に一体的に収容して構成されたものである。
【００３５】
電源スイッチホルダ７０は、検査台１０の凹形状部１２内側面に取り付けられ、電源スイッチカートリッジ６０を着脱可能に収容する。尚、電源スイッチカートリッジ６０及び電源スイッチホルダ７０の詳細構成については後述する。
【００３６】
電源ユニット側コード５３は、電源ユニット５４から導出されて電源ユニット５４と電源スイッチカートリッジ６０とを電気的に接続するためのコードであって、端部には電源スイッチカートリッジ６０の第２コネクタ部６２に接続されるコネクタ５３ａが設けられる。
【００３７】
電源ユニット５４は、電源コンセント５１からコンセント側コード５２、電源スイッチカートリッジ６０及び電源ユニット側コード５３を介して入力された外部電源を、遊技盤３０を作動させるための適正な電源に変換して遊技盤３０へ供給する装置である。また、検査台１０の凹形状部１２内側面には、電源ユニット５４と図示しない配線で接続されたランプ５４ａが設けられている。ランプ５４ａは、電源スイッチカートリッジ６０のスイッチ部６１がオンされて電源ユニット５４に外部電源が入力されている状態で点灯するようになっている。従って、作業者は、ランプ５４ａの点灯／消灯を視認することによって電源がオン又はオフされていることを認識することができる。
【００３８】
検査用制御ユニット８０は、遊技盤検査装置１における検査時に、遊技盤３０側に取り付けられた主制御基板３１に代わって、ＬＥＤ基板、液晶パネル制御基板、図柄制御基板、図柄情報基板、音声ランプ制御基板へ制御信号を入力するための制御装置である。すなわち、主制御基板３１と各制御基板との配線接続は検査時に一旦取り外されて、検査用制御ユニット８０と主制御基板３１以外の各制御基板とが配線接続される。検査用制御ユニット８０は、検査用プログラムを格納したＲＯＭが搭載され、遊技盤３０に設けられたＬＥＤや液晶パネル等において検査パターンを実行したり、自動的に大当り遊技状態等を発生させることができるようになっている。
【００３９】
次に、電源スイッチカートリッジ６０及び電源スイッチホルダ７０の構成の詳細について図３乃至図５を参照しつつ説明する。ここで、図３は、電源スイッチカートリッジ６０の分解斜視図である。図４は、電源スイッチカートリッジ６０と電源スイッチホルダ７０とを分離して示す斜視図である。図５は、電源スイッチカートリッジ６０を電源スイッチホルダ７０に装着した状態を示す斜視図である。
【００４０】
電源スイッチカートリッジ６０は、図３に示すように、スイッチ部６１と、第１コネクタ部６２と、第２コネクタ部６３と、これらの各部材を一体的に収容する箱状のケース６４とから構成される。
【００４１】
スイッチ部６１は、公知のシーソー式スイッチであって、第１接点６１ａと第２接点６１ｂと操作片６１ｃとを有し、両接点６１ａ，６１ｂ間が導通するオン状態と両接点６１ａ，６１ｂ間が遮断されたオフ状態とを、操作片６１ｃの押下によって切り換え可能に構成されている。スイッチ部６１は、ケース６４の上部に設けられ、操作片６１ｃがケース６４の上面において露出する。
【００４２】
第１コネクタ部６２は、配線部６２ａを介して第１接点６１ａに導通し且つコンセント側コード５２のコネクタ５２ｂが着脱可能に接続されるコネクタ部材であり、先端部がケース６４の側面において露出する。
【００４３】
第２コネクタ部６３は、配線部６３ａを介して第２接点６１ｂに導通し且つ電源ユニット側コード５３のコネクタ５３ａが着脱可能に接続されるコネクタ部材であり、第１コネクタ部６２と同様に先端部がケース６４の側面において露出する。
【００４４】
ケース６４は、前面全体及び側面中央部が開口された箱状のケース本体６４ａと、上面と背面とが開口されてケース本体６４ａ内に収容される箱状の内ケース６４ｂとから構成される。ケース本体６４ａ上面には、スイッチ部６１の操作片６１ｃを外部に露出させるための開口部６４ｃが形成されている。また、内ケース６４ｂの側面には第１コネクタ部６２、第２コネクタ部６３の各々の先端部を外部に露出させるための開口部６４ｄ，６４ｅが上下に隣接して形成されている。
【００４５】
ここで、電源スイッチカートリッジ６０の組み立て手順について図３を参照しつつ説明する。まず、操作片６１ｃを開口部６４ｃより外部に露出させるようにしてスイッチ部６１をケース本体６４ａに取り付ける。一方、第１コネクタ部６２及び第２コネクタ部６３の各々の先端部を開口部６４ｄ，６４ｅより外部に露出させるようにして第１コネクタ部６２及び第２コネクタ部６３を内ケース６４ｂに取り付ける。この状態で、内ケース６４ｂをケース本体６４ａに前面側から嵌め込み、両部材をネジ止め等で結合することにより、電源スイッチカートリッジ６０の組み立てが完了する。
【００４６】
電源スイッチホルダ７０は、図４及び図５に示すように、ケース６４を内部に収容可能なサイズの略箱形に形成され、上面と背面とが開口している。電源スイッチホルダ７０両側面の後端部には取り付け部７０ａ，７０ａが側方へ延設され、電源スイッチホルダ７０は、取り付け部７０ａ，７０ａにおいてネジ止めにより検査台１０の凹形状部１２内側面に固着される。電源スイッチホルダ７０は、検査台１０に取り付けられた際には、背面側の開口部が凹形状部１２内側面によって塞がれ、上面のみが開口している（上面開口部７０ｃ）。電源スイッチホルダ７０の側面には、電源スイッチカートリッジ６０の第１コネクタ部６２及び第２コネクタ部６３に対応する位置に、スリット７０ｂが形成されている。従って、電源スイッチカートリッジ６０が電源スイッチホルダ７０に保持・収容された状態で、第１コネクタ部６２及び第２コネクタ部６３の各々の先端部がスリット７０ｂを介して外部に露出している。
【００４７】
次に、遊技盤検査装置１において行われる遊技盤３０の検査の流れについて説明する。まず、遊技盤検査装置１において遊技盤検査の開始前に、電源スイッチカートリッジ６０を上面開口部７０ｃから電源スイッチホルダ７０内にスライドさせて装着し、コンセント側コード５２のコネクタ５２を第１コネクタ部６２に、電源ユニット側コード５３のコネクタ５３ａを第２コネクタ部６３にそれぞれ接続する。スイッチ部６１の操作片６１ｃがオフ位置になっていることを確認した上で、コンセント側コード５２のプラグ５２ａを電源コンセント５１に接続する。
【００４８】
次に、図６に示すように、遊技盤３０を背面が前方側を向いた姿勢で、クランプユニット１７によりターンテーブル１４上に固定する。続いて、遊技盤３０の主制御基板４１と液晶パネル制御基板４２等の各制御基板とを接続する各コード（図示せず）を取外し、検査用制御ユニット８０から導出される各コード（図示せず）を各制御基板に接続する。このように、主制御基板４１と各制御基板との接続を解除して、検査用制御ユニット８０と各制御基板との接続を行うことにより、各制御基板は検査用制御ユニット８０から入力される制御信号によって動作可能となる。また、電源ユニット５４から導出される図示しない各コードを各制御基板に接続する。これにより、電源ユニット５４から各制御基板へ電源供給可能となる。尚、電源ユニット５４と検査用制御ユニット８０とは図示しないコードによって予め接続されている。
【００４９】
電源ユニット５４と各基板との接続が完了すると、遊技盤３０はターンテーブル１４により１８０度反転させられて前面が前方側に向けられる（図１参照）。この状態で、電源スイッチカートリッジ６０のスイッチ部６１において操作片６１ｃをオン位置に切り換えると、遊技盤３０の前面に備えられた各種可動部材、表示装置３４等が作動を開始する。このとき、遊技盤３０は電源が投入された状態にあり、検査用制御ユニット８０から検査用の制御信号が各制御基板に入力されるため、液晶表示装置３４の表示および役物３２の発光状況が正常であるか否かを作業者は目視検査する。
【００５０】
さらに、遊技球の貯留部１３から遊技球を取り出して、入賞口３３に遊技球を投入する。ここで、正常な遊技盤であれば所定数入賞口３３に遊技球が投入されると遊技状態が通常状態から特別状態に切り換えられ、液晶表示装置３４の表示状況や役物３２の発光状況も変化することとなる。すなわち、入賞口３３に遊技球を投入し意図的に特別状態を発生させることにより、特別状態における液晶表示装置３４、役物３２の動作状況の目視検査を行っている。むろん、特別状態に切り替わるか否かも判断することができる。また、検査用制御ユニット８０から強制的にリーチ遊技状態や大当り遊技状態を発生させる制御信号を液晶パネル制御基板４２等の各制御基板に入力することにより、各遊技状態における液晶表示装置３４、役物３２の動作状況の目視検査を行っている。
【００５１】
以上の検査が完了すると遊技盤３０は、主制御基板４１と各制御基板とを検査前と同様に配線接続した後、ターンテーブル１４から取り外されて、良品であれば次工程に払い出される。不良品であれば他の検査手段により、不具合箇所の検出、不良解析等が行われる。
【００５２】
以上詳述したことから明らかなように、本実施形態によれば、電源コンセント５１に接続されたコンセント側コード５２のコネクタ５２ｂを第１コネクタ部６２に接続し、電源ユニット５４から導出される電源ユニット側コード５３のコネクタ５３ａを第２コネクタ部６３に接続した状態で、スイッチ部６１において操作片６１ｃにより第１接点６１ａと第２接点６１ｂとの間が導通するオン状態と遮断されたオフ状態とを切り換えることにより、電源ユニット５４への外部電源入力をオン・オフすることができる。そして、遊技盤３０を検査台１０のターンテーブル１４にて起立させた状態で保持して適宜水平方向に回転させて遊技盤３０の向きを適切な状態とした後、スイッチ部６１をオン状態として遊技盤３０へ電源を供給することにより、遊技盤３０の動作を検査することができる。また、検査対象の遊技盤３０を交換する際には、スイッチ部６１をオフ状態として、遊技盤３０の着脱作業を安全に行うことができる。さらに、カートリッジ６０は、スイッチ部６１、第１コネクタ部６２、及び第２コネクタ部６３がケース６４内に一体的に収容されているので、多数の遊技盤３０を検査する場合にスイッチ部６１が多数回に亘って繰り返しオン・オフ操作されることに起因して破損や接触不良等の故障が発生した場合には、予め用意しておいた新品のカートリッジ６０に交換することにより、遊技盤３０の検査作業を迅速に再開することができる。
【００５３】
また、検査台１０に電源スイッチホルダ７０が取り付けられているので、電源スイッチホルダ７０に電源スイッチカートリッジ６０を装着することにより、電源スイッチカートリッジ６０が確実に保持された状態でスイッチ部６１を容易且つ確実に操作することができる。また、スイッチ部６１等が故障した際には、電源スイッチカートリッジ６０を電源スイッチホルダ７０から簡単に取り外して交換することができる。特に、電源スイッチホルダ７０は略箱形に形成されているので、電源スイッチカートリッジ６０を保護しつつ確実に保持することができる。
【００５４】
また、電源スイッチホルダ７０は略箱形の上面に上面開口部７０ｃが形成され、電源スイッチカートリッジ６０を上面開口部７０ｃから内部へスライド挿入可能であるので、電源スイッチカートリッジ６０の電源スイッチホルダ７０への着脱を上方から容易に行うことができる。
【００５５】
また、第１コネクタ部６２及び第２コネクタ部６３はケース６４の側面に配置され、電源スイッチホルダ７０には第１コネクタ部６２及び第２コネクタ部６３に対応する位置にスリット７０ｂが形成されているので、電源スイッチカートリッジ６０を電源スイッチホルダ７０から着脱する際に、第１コネクタ部６２に接続されたコンセント側コード５２や第２コネクタ部６３に接続された電源ユニット側コード５３と電源スイッチホルダ７０との干渉を回避することができ、電源スイッチカートリッジ６０の着脱作業を円滑に行うことができる。
【００５６】
また、電源スイッチホルダ７０が検査台１０の上面に設けられた凹形状部１２の内側面に取り付けられているので、電源スイッチホルダ７０が検査作業の邪魔になることがなく、且つ電源スイッチカートリッジ６０を安全に収容することができる。
【００５７】
また、第１コネクタ部６２と第２コネクタ部６３とがケース６４の同一側面に配置されているので、コンセント側コード５２のコネクタ５２ｂの第１コネクタ部６２からの着脱及び電源ユニット側コード５３のコネクタ５３ａの第２コネクタ部６４からの着脱をケース６４の同一側面において迅速に行うことができる。
【００５８】
また、スイッチ部６１がケース６４の上面に配置されているので、作業者は、スイッチ部６１がオン状態かオフ状態かを確実に目視確認できると共に、オン・オフ操作を容易に行うことができる。特に、スイッチ部６１がシーソー式スイッチにより構成されているので、オン状態とオフ状態とを容易且つ確実に切り換え可能であると共に、スイッチ部６１を安価に実現することができる。
【００５９】
尚、本発明は上述した各実施の形態に限定されるものではなく、本発明の主旨を逸脱しない範囲で種々の変更を施すことが可能である。
【００６０】
例えば、前記実施形態では、電源スイッチカートリッジ６０を保持するために電源スイッチホルダ７０を設ける構成としたが、電源スイッチホルダ７０を設ける代わりに、検査台１０の凹形状部１２内側面にフックを設け、そのフックに電源スイッチカートリッジ６０を引っかけて保持する構成としてもよい。
【００６１】
また、前記実施形態では、電源スイッチカートリッジ６０のスイッチ部６１をシーソー式スイッチにより構成したが、スライド式スイッチやプッシュ式スイッチにより構成してもよい。
【００６２】
また、電源スイッチカートリッジ６０におけるスイッチ部６１や第１コネクタ部６２，第２コネクタ部６３の位置は、前記実施形態に示した態様には限られず、適宜、変更して実施してもよい。
【産業上の利用可能性】
【００６３】
本発明は、電源スイッチを備えた遊技盤検査装置において、電源スイッチの交換を容易且つ迅速に行う必要がある場合に適用できる。
【図面の簡単な説明】
【００６４】
【図１】本発明の実施形態にかかる遊技盤検査装置の全体を示す斜視図である。
【図２】遊技盤検査装置の要部を拡大して示す斜視図である。
【図３】電源スイッチカートリッジの分解斜視図である。
【図４】電源スイッチカートリッジと電源スイッチホルダとを分離して示す斜視図である。
【図５】電源スイッチカートリッジを電源スイッチホルダに装着した状態を示す斜視図である。
【図６】遊技盤検査装置において遊技盤の背面を前方側に向けた状態を示す斜視図である。
【符号の説明】
【００６５】
１    遊技盤検査装置
１０    検査台
１２    凹形状部
１４    ターンテーブル
３０    遊技盤
５１    電源コンセント（外部電源）
５２    コンセント側コード（外部電源側コード）
５２ａ  プラグ
５２ｂ  コネクタ
５３    電源ユニット側コード
５３ａ  コネクタ
５４    電源ユニット
６０    電源スイッチカートリッジ（カートリッジ）
６１    スイッチ部
６１ａ  第１接点
６１ｂ  第２接点
６１ｃ  操作片
６２    第１コネクタ部
６２ａ  配線部
６３    第２コネクタ部
６３ａ  配線部
６４    ケース
７０    電源スイッチホルダ（ホルダ）
８０    検査用制御ユニット
【図１】
0004710546.tif 000002
【図２】
0004710546.tif 000003
【図３】
0004710546.tif 000004
【図４】
0004710546.tif 000005
【図５】
0004710546.tif 000006
【図６】
0004710546.tif 000007